(57)【要約】【課題】内線番号を変更しても、新旧いずれの内線番号でも着信できるとともに、旧（変更前）の内線電話番号での着信の可否を設定できる利便性の高い構内交換システムを提供する。【解決手段】内線番号情報ＪＮを記憶エリア６ａに格納する記憶装置６、呼接続制御手段１０、パラメータ出力手段１１、フラグ設定手段１２、計時手段１３、消去手段１４および通知手段１５を有する制御装置７ｎを備えた構内交換機２と、構内交換機２に収容される基地局３と、構内交換機２に収容される保守端末装置４と、基地局３を介して相互間で無線通信を行う内線携帯電話機ＴＥＬ１〜ＴＥＬｎとから構成する。【選択図】　図１
2004112412.tif 000002
【特許請求の範囲】
【請求項１】
複数の内線携帯電話機と、前記内線携帯電話機の基地局と、前記複数の内線携帯電話機の内線番号を設定する保守端末装置と、前記基地局および前記保守端末装置を収容する構内交換機と、を備えた構内交換システムであって、
前記構内交換機は、内線番号の設定、変更や変更前内線番号のダイヤル接続可否の内線番号情報を記憶する記憶装置、前記記憶装置が記憶する内線番号情報に基づいて呼接続を制御する制御装置を備えたことを特徴とする構内交換システム。
【請求項２】
前記記憶装置は、登録・変更内線番号、変更前内線番号、変更前内線番号使用規制時間、内線番号変更後経過時間および変更前内線番号ダイヤル接続可否フラグの内線番号情報の記憶エリアを備えたことを特徴とする請求項１記載の構内交換システム。
【請求項３】
前記制御装置は、変更前内線番号ダイヤル接続可否フラグを設定するフラグ設定手段を備えたことを特徴とする請求項１記載の構内交換システム。
【請求項４】
前記制御装置は、内線番号が変更された時から経過時間をカウントする計時手段と、計時時間が予め設定した時間を経過した時に、変更前内線番号を消去する消去手段と、を備えたことを特徴とする請求項１記載の構内交換システム。
【請求項５】
前記制御装置は、変更前内線番号で呼び出し中に、変更内線番号を発呼側の内線携帯電話機に通知する通知手段を備えたことを特徴とする請求項１記載の構内交換システム。
【請求項６】
前記制御装置は、内線番号登録要求に対応して前記記憶装置の記憶エリアの登録・変更内線番号のパラメータを出力するパラメータ出力手段を備えたことを特徴とする請求項１記載の構内交換システム。
【請求項７】
前記制御装置は、内線番号変更要求に対応して前記記憶装置の記憶エリアの変更前内線番号ダイヤル接続可否フラグ、登録・変更内線番号および変更前内線番号使用規制時間のパラメータを出力するパラメータ出力手段を備えたことを特徴とする請求項１記載の構内交換システム。
【請求項８】
前記内線携帯電話機は、内線番号変更要求を出力するとともに、受信した変更前内線番号ダイヤル接続可否フラグ、登録・変更内線番号および変更前内線番号使用規制時間のパラメータを設定することを特徴とする請求項１記載の構内交換システム。
【発明の詳細な説明】
【０００１】
【発明の属する技術分野】
本発明は内線電話機の内線番号を変更しても呼接続可能な構内交換システムに係り、特にユーザが展示会場やホテルなどでレンタルされた内線携帯電話機を操作し、割当てられた内線番号を変更しても発呼側の内線携帯電話機から変更前の内線番号で着信を可能または禁止にでき、着信可能な場合には変更した内線番号を発呼側の内線携帯電話機に通知する構内交換システムに関する。
【０００２】
【従来の技術】
従来の技術は、「特許文献１」に開示されているように、ＰＢＸ交換機のメモリー部に、予め旧内線番号と新内線番号の旧新番号対応表を設定しておき、例えば企業内の組織変更に伴い、内線電話機の電話番号（内線番号）が変更された場合、発呼側の内線電話機から電話番号が変更された内線電話機に、変更前の電話番号でダイヤル発信しても、構内交換機内に予め設定した新旧電話番号の対応表をチェックして変更前の電話番号を変更した電話番号に変換し、変更した電話番号で呼接続する改番通知転送方法が知られている。
【０００３】
「特許文献１」に記載された従来の改番通知転送方法は、ダイヤル発信する相手の内線電話機が電話番号（内線番号）を変更したことは承知しているが、変更した電話番号を知らない場合には、発呼側の内線電話機から「特番＋変更前の電話番号」をダイヤル発信することで、変更した電話番号で相手の内線電話機を呼び出すとともに、変更した電話番号をトーキーで発呼側の内線電話機に通知する。
【０００４】
また、「特許文献１」に記載された従来の改番通知転送方法は、ダイヤル発信する相手の内線電話機が電話番号（内線番号）を変更したことを知らない場合には、発呼側の内線電話機から変更前の電話番号をダイヤル発信すると、変更前の電話番号を新たに使用している内線電話機が応答し、応答した側の内線電話機で間違いであることを認識し、「特番」を操作することによって変更した電話番号で（希望する）相手の内線電話機を呼び出すとともに、変更した電話番号をトーキーで発呼側の内線電話機に通知する。
【０００５】
【特許文献１】
特開平６−２７６２９７号公報
【０００６】
【発明が解決しようとする課題】
近年、展示会場、イベント会場、ホテルなどで、内線携帯電話機を貸し出すサービスが行われるようになり、このサービスの利便性によりユーザが増加する状況にあって、ユーザが貸与された内線携帯電話機の内線番号を変更したいという要望が強くなる傾向にある。
【０００７】
内線番号を変更する理由は、貸与された時点の内線番号が関係者に知れ渡っており、多くの関係者から常時着信があり、特定の関係者とだけ用件を遣り取りする場合や、緊急を要する場合などに不都合を生じる課題がある。
【０００８】
そうはいっても、展示会場やイベント会場では、時間帯によっては、多くの関係者とも連絡を取り合わなければならないこともあるが、内線番号を変更し、変更した内線番号を関係者全員に知らせなければ、連絡を取り合うことができなく、特定の関係者との間だけの通話および関係者全員との間の通話の双方を満足することが困難な課題がある。
【０００９】
「特許文献１」の従来の改番通知転送方法では、内線番号を変更しても、変更前の内線番号または変更した内線番号のいずれでも着信させるので、特定の関係者との間だけの通話および関係者全員との間の通話の双方を満足することができない基本的な課題がある。
【００１０】
この発明はこのような課題を解決するためになされたもので、その目的は内線番号を変更しても、新旧いずれの内線番号でも着信できるとともに、旧（変更前）の内線電話番号での着信の可否を設定できる利便性の高い構内交換システムを提供することにある。
【００１１】
【課題を解決するための手段】
前記課題を解決するためこの発明に係る構内交換システムは、複数の内線携帯電話機と、内線携帯電話機の基地局と、複数の内線携帯電話機の内線番号を設定する保守端末装置と、基地局および保守端末装置を収容する構内交換機とを備えた構内交換システムであって、構内交換機は、内線番号の設定、変更や変更前内線番号のダイヤル接続可否の内線番号情報を記憶する記憶装置、記憶装置が記憶する内線番号情報に基づいて呼接続を制御する制御装置を備えたことを特徴とする。
【００１２】
この発明に係る構内交換システムの構内交換機は、内線番号の設定、変更や変更前内線番号のダイヤル接続可否の内線番号情報を記憶する記憶装置、記憶装置が記憶する内線番号情報に基づいて呼接続を制御する制御装置を備えたので、展示会場やホテル（例えば、国際会議場）などの内線携帯電話機の貸出しサービスにおいて、ユーザが内線携帯電話機を操作して自由に内線番号を変更して設定するとともに、変更前内線番号での着信の可否を設定し、例えば、変更内線番号と変更前内線番号を知らせる関係者を限定することにより、特定の関係者との間だけの通話および関係者全員との間の通話の双方を満足させることができ、サービスの向上を図ることができる。
【００１３】
また、この発明に係る記憶装置は、登録・変更内線番号、変更前内線番号、変更前内線番号使用規制時間、内線番号変更後経過時間および変更前内線番号ダイヤル接続可否フラグの内線番号情報の記憶エリアを備えたことを特徴とする。
【００１４】
この発明に係る記憶装置は、登録・変更内線番号、変更前内線番号、変更前内線番号使用規制時間、内線番号変更後経過時間および変更前内線番号ダイヤル接続可否フラグの内線番号情報の記憶エリアを備えたので、内線携帯電話機を操作して記憶エリアの内線番号情報を設定することで、内線番号のサービスに対応することができ、簡単な構成でサービスの充実を実現することができる。
【００１５】
さらに、この発明に係る制御装置は、変更前内線番号ダイヤル接続可否フラグを設定するフラグ設定手段を備えたことを特徴とする。
【００１６】
この発明に係る制御装置は、変更前内線番号ダイヤル接続可否フラグを設定するフラグ設定手段を備えたので、内線携帯電話機を操作してフラグ（例えば、「０」：規制、「１」：接続）を入力することにより、変更前内線番号で着信（呼接続）の可否を実行することができ、単純な構成で利便性の向上を図ることができる。
【００１７】
また、この発明に係る制御装置は、内線番号が変更された時から経過時間をカウントする計時手段と、計時時間が予め設定した時間を経過した時に、変更前内線番号を消去する消去手段とを備えたことを特徴とする。
【００１８】
この発明に係る制御装置は、内線番号が変更された時から経過時間をカウントする計時手段と、計時時間が予め設定した時間（変更前内線番号規制時間ＴＫ）を経過した時に、変更前内線番号を消去する消去手段とを備えたので、内線携帯電話機を操作して変更前内線番号使用規制時間を入力することにより、変更前内線番号で着信可能な時間を選択することができ、内線番号を不必要に増加することなく、内線番号を有効に利用することができる。
【００１９】
さらに、この発明に係る制御装置は、変更前内線番号で呼び出し中に、変更内線番号を発呼側の内線携帯電話機に通知する通知手段を備えたことを特徴とする。
【００２０】
この発明に係る制御装置は、変更前内線番号で呼び出し中に、変更内線番号を発呼側の内線携帯電話機に通知する通知手段を備えたので、変更内線番号を知らない相手に、変更前内線番号で着信した時に変更内線番号を通知することができ、特に連絡することなく、多くの内線携帯電話機のユーザに変更内線番号を容易に浸透させることができる。
【００２１】
また、この発明に係る制御装置は、内線番号登録要求に対応して記憶装置の記憶エリアの登録・変更内線番号のパラメータを出力するパラメータ出力手段を備えたことを特徴とする。
【００２２】
さらに、この発明に係る制御装置は、内線番号変更要求に対応して記憶装置の記憶エリアの変更前内線番号ダイヤル接続可否フラグ、登録・変更内線番号および変更前内線番号使用規制時間のパラメータを出力するパラメータ出力手段を備えたことを特徴とする。
【００２３】
この発明に係る制御装置は、内線番号登録要求に対応して記憶装置の記憶エリアの登録・変更内線番号のパラメータ、および内線番号変更要求に対応して記憶装置の記憶エリアの変更前内線番号ダイヤル接続可否フラグ、登録・変更内線番号および変更前内線番号使用規制時間のパラメータを出力するパラメータ出力手段を備えたので、保守端末装置から全内線携帯電話機の内線番号の初期設定ならびに内線携帯電話機から変更番号の設定を表示画面を見ながら実行することができ、操作性の向上を図ることができる。
【００２４】
また、この発明に係る内線携帯電話機は、内線番号変更要求を出力するとともに、受信した変更前内線番号ダイヤル接続可否フラグ、登録・変更内線番号および変更前内線番号使用規制時間のパラメータを設定することを特徴とする。
【００２５】
この発明に係る内線携帯電話機は、内線番号変更要求を出力するとともに、受信した変更前内線番号ダイヤル接続可否フラグ、登録・変更内線番号および変更前内線番号使用規制時間のパラメータを設定するので、単純なキー操作で内線番号サービスを受けることができ、利便性の高いサービスをユーザに提供することができる。
【００２６】
【発明の実施の形態】
以下、この発明の実施の形態を添付図面に基づいて説明する。図１はこの発明に係る構内交換システムの一実施の形態構成図である。図１において、構内交換システム１は、構内交換機２と、構内交換機２に収容される基地局３と、構内交換機２に収容される保守端末装置４と、基地局３を介して相互間で無線通信を行う内線携帯電話機ＴＥＬ１〜ＴＥＬｎとから構成する。
【００２７】
一方、構内交換機２は、クロスポイントスイッチ５、記憶装置６、制御装置７、基地局インタフェース８、入出力インタフェース９を備え、クロスポイントスイッチ５、記憶装置６および制御装置７は、内部バスＢＵＳを介して接続する。
【００２８】
基地局３は、割当てられた通話チャネルを用いて、内線携帯電話機ＴＥＬ１〜ＴＥＬｎ相互間の無線通話路を形成し、内線携帯電話機ＴＥＬ１〜ＴＥＬｎ相互間の内線通話を行う。
【００２９】
保守端末装置４は、表示画面、キーボード、通信機能を備え、構内交換機２に接続し、展示会場やホテル（例えば、国際会議場）などで貸出しサービスをする内線携帯電話機ＴＥＬ１〜ＴＥＬｎに内線番号の初期設定（登録）を行う。
【００３０】
構内交換機２のクロスポイントスイッチ５は、電子スイッチ等で構成し、制御装置７の制御により、基地局インタフェース８を介して基地局３を制御装置７に接続し、制御装置７の制御により図示しない外線（局線）との通話路を形成する。
【００３１】
また、クロスポイントスイッチ５は、入出力インタフェース９を介して保守端末装置４を制御装置７に接続し、制御装置７の制御により保守端末装置４から設定された内線携帯電話機ＴＥＬ１〜ＴＥＬｎの内線番号を記憶装置６に格納させる。
【００３２】
記憶装置６は、ＲＯＭ等の固定メモリで構成し、構内交換機２の動作に必要な各種データ、動作シーケンス等のデータテーブルやプログラムを記憶し、制御装置７の制御により、プログラムの動作を実行する。
【００３３】
また、記憶装置６は、ＲＡＭ等の書換え可能なメモリで構成し、記憶エリアに内線携帯電話機ＴＥＬ１〜ＴＥＬｎの内線番号、変更した内線番号等の内線番号情報を格納する。なお、内線番号情報は、保守端末装置４および内線携帯電話機ＴＥＬ１〜ＴＥＬｎの操作によって記憶エリアに格納される。
【００３４】
図２はこの発明に係る記憶エリアに格納される内線番号情報の一実施の形態イメージ図である。図２において、記憶エリア６ａの内線番号情報ＪＮは、内線携帯電話機ＴＥＬ１〜ＴＥＬｎのそれぞれについて、登録・変更内線番号ＮＨ、変更前内線番号ＮＳ、変更前内線番号規制時間ＴＫ、内線番号変更後経過時間ＴＰおよび変更前内線番号ダイヤル接続可否フラグＦＧが設定可能である。
【００３５】
登録・変更内線番号ＮＨは、内線携帯電話機ＴＥＬ１〜ＴＥＬｎの内線番号を初期設定する際に、保守端末装置４から入力する。例えば、内線携帯電話機ＴＥＬ１は「１１１」番、内線携帯電話機ＴＥＬ２は「１１２」番、…、内線携帯電話機ＴＥＬｎは「１１ｎ」番を初期設定する。
【００３６】
また、登録・変更内線番号ＮＨは、内線携帯電話機ＴＥＬ１〜ＴＥＬｎの内線番号を変更する際に、各内線携帯電話機ＴＥＬ１〜ＴＥＬｎからそれぞれ入力する。例えば、内線携帯電話機ＴＥＬ１の内線番号を「２００」番に変更する場合、内線携帯電話機ＴＥＬ１から登録・変更内線番号ＮＨに２００を入力する。以下、内線携帯電話機ＴＥＬ１の内線番号変更についての設定について説明する。
【００３７】
変更前内線番号ＮＳは、内線番号を変更した場合、変更前の初期設定された内線番号１１１を内線携帯電話機ＴＥＬ１から入力する。
【００３８】
変更前内線番号規制時間ＴＫは、内線携帯電話機ＴＥＬ１の内線番号を変更（「２００」番）した場合、他の内線携帯電話機ＴＥＬ２〜ＴＥＬｎから初期設定の内線番号（「１１１」番）でダイヤル発信されても着信できる時間「例えば、５Ｈ」を設定する。
【００３９】
内線番号変更後経過時間ＴＰは、内線番号（「２００」番）に変更してからの経過時間（例えば、３Ｈ）であり、この経過時間は、制御装置７のタイマ（図３に記載の計時手段１３）が刻々とカウントしている時間を表わす。従って、内線番号変更後経過時間ＴＰは、内線携帯電話機ＴＥＬ１から入力する必要がない。
【００４０】
変更前内線番号ダイヤル接続可否フラグＦＧは、変更前の初期設定された内線番号（「１１１」番）で他の内線携帯電話機ＴＥＬ２〜ＴＥＬｎからダイヤル発信された場合に、内線携帯電話機ＴＥＬ１が着信（接続）可能か否か内線携帯電話機ＴＥＬ１から入力する。なお、変更前内線番号ダイヤル接続可否フラグＦＧは、着信可能（接続）にする場合には、例えば「１」、着信不可（規制）にする場合には、例えば「０」に設定する。また、変更前内線番号ダイヤル接続可否フラグＦＧの変更は、変更前内線番号規制時間ＴＫ以内ならば、何度でも可能である。
【００４１】
さらに、変更内線番号（「２００」番）および初期設定の内線番号（「１１１」番）で常に着信させたい場合には、変更前内線番号規制時間ＴＫを設定せず、変更前内線番号ダイヤル接続可否フラグＦＧを「１」（接続）に設定することにより、実現することができる。
【００４２】
このように、この発明に係る記憶装置６は、登録・変更内線番号ＮＨ、変更前内線番号ＮＳ、変更前内線番号規制時間ＴＫ、内線番号変更後経過時間ＴＰおよび変更前内線番号ダイヤル接続可否フラグＦＧの内線番号情報ＪＮの記憶エリア６ａを備えたので、内線携帯電話機ＴＥＬ１〜ＴＥＬｎを操作して記憶エリア６ａの内線番号情報ＪＮを設定することで、内線番号のサービスに対応することができ、簡単な構成でサービスの充実を実現することができる。
【００４３】
制御装置７は、マイクロプロセッサを基本にソフト制御の各種演算、処理機能、呼制御機能を備え、保守端末装置４から入力された内線番号を記憶装置６に登録したり、登録された内線番号を内線携帯電話機ＴＥＬ１〜ＴＥＬｎの操作によって変更した内線番号を記憶装置６に登録する。
【００４４】
また、制御装置７は、変更登録された内線番号でダイヤル発信された呼を着信可能なように呼接続制御するとともに、変更前内線番号でダイヤル発信された呼を着信可能または着信拒否するように呼接続制御を行う。
【００４５】
図３はこの発明に係る制御装置の一実施の形態要部ブロック構成図である。図３において、制御装置７は、呼接続制御手段１０、パラメータ出力手段１１、フラグ設定手段１２、計時手段１３、消去手段１４、通知手段１５を備える。
【００４６】
呼接続制御手段１０は、保守端末装置４からの内線番号登録要求に対応して記憶装置６の記憶エリア６ａに格納された登録・変更内線番号ＮＨのパラメータをパラメータ出力手段１１が出力する動作を制御するとともに、内線携帯電話機ＴＥＬ１〜ＴＥＬｎからの内線番号変更要求に対応して記憶装置６の記憶エリア６ａに格納された登録・変更内線番号ＮＨ、変更前内線番号ＮＳ、変更前内線番号使用規制時間ＴＫおよび変更前内線番号ダイヤル接続可否フラグＦＧのパラメータをパラメータ出力手段１１が出力する動作を制御する。
【００４７】
保守端末装置４から内線番号登録要求があると、パラメータ出力手段１１が記憶装置６の記憶エリア６ａから登録・変更内線番号ＮＨのパラメータを呼び出して保守端末装置４の画面に表示するので、保守端末装置４の画面表示された登録・変更内線番号ＮＨのパラメータに内線携帯電話機ＴＥＬ１〜ＴＥＬｎの内線番号を入力（登録）するだけで、内線携帯電話機ＴＥＬ１〜ＴＥＬｎの内線番号の初期登録が可能となる。
【００４８】
また、内線携帯電話機ＴＥＬ１〜ＴＥＬｎから内線番号変更要求があると、パラメータ出力手段１１が記憶装置６の記憶エリア６ａから登録・変更内線番号ＮＨ、変更前内線番号ＮＳ、変更前内線番号使用規制時間ＴＫおよび変更前内線番号ダイヤル接続可否フラグＦＧのパラメータを読み出して内線番号変更要求のあった内線携帯電話機ＴＥＬ１〜ＴＥＬｎの画面に表示するので、内線携帯電話機ＴＥＬ１〜ＴＥＬｎの画面表示されたパラメータに必要事項を入力するだけで、変更内線番号ＮＨ、変更前内線番号ＮＳでの着信、変更前内線番号ＮＳでの着信の有効時間が設定可能となる。
【００４９】
このように、この発明に係る制御装置７は、内線番号登録要求に対応して記憶装置６の記憶エリア６ａの登録・変更内線番号ＮＨのパラメータ、および内線番号変更要求に対応して記憶装置６の記憶エリア６ａの変更前内線番号ダイヤル接続可否フラグＦＧ、登録・変更内線番号ＮＨおよび変更前内線番号使用規制時間ＴＫのパラメータを出力するパラメータ出力手段１１を備えたので、保守端末装置４から全内線携帯電話機（内線携帯電話機ＴＥＬ１〜ＴＥＬｎ）の内線番号の初期設定ならびに（内線携帯電話機ＴＥＬ１〜ＴＥＬｎ）から変更番号の設定を表示画面を見ながら実行することができ、操作性の向上を図ることができる。
【００５０】
また、呼接続制御手段１０は、内線携帯電話機ＴＥＬ１〜ＴＥＬｎからの操作により、変更前内線番号ダイヤル接続可否フラグＦＧ（例えば、着信可能：「１」、着信不可：「０」）を入力された場合、フラグ設定手段１２が変更前内線番号ダイヤル接続可否フラグＦＧを記憶装置６に設定する動作を制御する。そして、呼接続制御手段１０は、変更前内線番号ＮＳがダイヤル発信された場合、変更前内線番号ダイヤル接続可否フラグＦＧを監視し、変更前内線番号ＮＳを変更内線番号ＮＨに変換して（例えば、着信可能：「１」）呼接続したり、変更前内線番号ＮＳを変更内線番号ＮＨに変換せずに（例えば、着信不可：「０」）呼接続を禁止したりする。
【００５１】
このように、この発明に係る制御装置７は、変更前内線番号ダイヤル接続可否フラグＦＧを設定するフラグ設定手段１２を備えたので、内線携帯電話機（内線携帯電話機ＴＥＬ１〜ＴＥＬｎ）を操作してフラグ（例えば、「０」：規制、「１」：接続）を入力することにより、変更前内線番号ＮＳで着信（呼接続）の可否を実行することができ、単純な構成で利便性の向上を図ることができる。
【００５２】
さらに、呼接続制御手段１０は、内線番号が変更された時から経過時間をカウントする計時手段１３の動作を制御し、計時時間１３が予め設定した時間（変更前内線番号規制時間ＴＫ）を経過した時に、変更前内線番号ＮＳを消去する消去手段１４の動作を制御する。
【００５３】
計時手段１３は、呼接続制御手段１０の指令によって時間をカウントし、カウントした計時時間（内線番号変更後経過時間ＴＰ）が設定した変更前内線番号規制時間ＴＫに到達すると、消去手段１４が記憶装置６の記憶エリア６ａに格納された内線番号情報ＪＮの変更前内線番号ＮＳ、変更前内線番号規制時間ＴＫ、内線番号変更後経過時間ＴＰおよび変更前内線番号ダイヤル接続可否フラグＦＧを記憶エリア６ａからクリアする。
【００５４】
このように、この発明に係る制御装置７は、内線番号が変更された時から経過時間をカウントする計時手段１３と、計時時間が予め設定した時間（変更前内線番号規制時間ＴＫ）を経過した時に、変更前内線番号ＮＳを消去する消去手段１４とを備えたので、内線携帯電話機ＴＥＬ１〜ＴＥＬｎを操作して変更前内線番号使用規制時間ＴＫを入力することにより、変更前内線番号ＮＳで着信可能な時間を選択することができ、内線番号を不必要に増加することなく、内線番号を有効に利用することができる。
【００５５】
また、呼接続制御手段１０は、変更前内線番号ＮＳで呼び出し中に、変更内線番号ＮＨを発呼側の内線携帯電話機に通知する通知手段１５の動作を制御する。
【００５６】
通知手段１５は、発呼側の内線携帯電話機（例えば、内線携帯電話機ＴＥＬｎ）から変更前内線番号ＮＳでダイヤル発信された時、変更前内線番号ダイヤル接続可否フラグＦＧが、例えば（「１」：接続）に設定されている場合には、着呼側の内線携帯電話機（内線携帯電話機ＴＥＬ１）を呼び出し中に、発呼側の内線携帯電話機（内線携帯電話機ＴＥＬｎ）に変更前内線番号ＮＳを変化した変更内線番号ＮＨを画面表示やトーキーで通知し、発呼側のユーザに変更された内線番号を知らせる。
【００５７】
このように、この発明に係る制御装置７は、変更前内線番号ＮＳで呼び出し中に、変更内線番号ＮＨを発呼側の内線携帯電話機に通知する通知手段１５を備えたので、変更内線番号ＮＨを知らない相手に、変更前内線番号ＮＳで着信した時に変更内線番号ＮＨを通知することができ、特に連絡することなく、多くの内線携帯電話機のユーザに変更内線番号を容易に浸透させることができる。
【００５８】
以上説明したように、この発明に係る構内交換システムの構内交換機２は、内線番号の設定、変更や変更前内線番号のダイヤル接続可否の内線番号情報を記憶する記憶装置６、記憶装置６が記憶する内線番号情報ＪＮに基づいて呼接続を制御する制御装置７を備えたので、展示会場やホテル（例えば、国際会議場）などの内線携帯電話機ＴＥＬ１〜ＴＥＬｎの貸出しサービスにおいて、ユーザが内線携帯電話機ＴＥＬ１〜ＴＥＬｎを操作して自由に内線番号を変更して設定するとともに、変更前内線番号ＮＳでの着信の可否を設定し、例えば、変更内線番号ＮＨと変更前内線番号Ｎｓを知らせる関係者を限定することにより、特定の関係者との間だけの通話および関係者全員との間の通話の双方を満足させることができ、サービスの向上を図ることができる。
【００５９】
内線携帯電話機ＴＥＬ１〜ＴＥＬｎは、展示会場やホテル（例えば、国際会議場）などの貸出しサービスをする電話機を構成し、ユーザは、使用目的に応じて図２に示す内線携帯電話機ＴＥＬ１のように、内線携帯電話機を操作して内線番号変更要求を送信し、受信して画面上に表示された内線番号情報ＪＮのパラメータ（登録・変更内線番号ＮＨ、変更前内線番号ＮＳ、変更前内線番号規制時間ＴＫおよび変更前内線番号ダイヤル接続可否フラグＦＧ）にキー入力することにより、初期設定の内線番号「１１１」を変更内線番号ＮＨ「２００」、変更前内線番号ＮＳを「１１１」、変更前内線番号規制時間ＴＫを「５Ｈ」、変更前内線番号ダイヤル接続可否フラグＦＧを「１」（接続）に設定する。
【００６０】
この設定により、例えば内線携帯電話機ＴＥＬｎから変更前内線番号ＮＳ「１１１」のダイヤル発信がなされた場合、構内交換機２が変更前内線番号ＮＳ「１１１」を変更内線番号ＮＨ「２００」に変換し、変更内線番号ＮＨ「２００」で内線携帯電話機ＴＥＬ１に呼接続して呼び出し、通話が成立するとともに、内線携帯電話機ＴＥＬｎに変更内線番号ＮＨ「２００」を通知して画面上に表示させることができる。
【００６１】
また、内線携帯電話機ＴＥＬ１で変更前内線番号ダイヤル接続可否フラグＦＧを「０」（規制）に設定すると、例えば内線携帯電話機ＴＥＬｎから変更前内線番号ＮＳ「１１１」のダイヤル発信がなされた場合、構内交換機２が内線携帯電話機ＴＥＬ１との接続を禁止するとともに、内線携帯電話機ＴＥＬｎに内線携帯電話機ＴＥＬ１の変更内線番号ＮＨ「２００」の通知も行なわれない。
【００６２】
このように、この発明に係る内線携帯電話機ＴＥＬ１〜ＴＥＬｎは、内線番号変更要求を出力するとともに、受信した変更前内線番号ダイヤル接続可否フラグＦＧ、登録・変更内線番号ＮＨおよび変更前内線番号使用規制時間ＴＫのパラメータを設定するので、単純なキー操作で内線番号サービスを受けることができ、利便性の高いサービスをユーザに提供することができる。
【００６３】
なお、本実施の形態では、展示会場やホテル（例えば、国際会議場）の貸出しサービスをする内線携帯電話機ＴＥＬ１〜ＴＥＬｎを例に説明したが、企業の各部門に割当てられた有線の内線電話機であってもよく、各部門の配置転換に伴って内線番号を変更する場合、本発明を適用して内線番号を変更し、所定期間だけ変更前内線番号で着信できるようにし、所定期間が経過した後には、変更前内線番号を配置転換した場所に新たに配置転換された部門に割当てるようにすることができる。
【００６４】
例えば、１階にあった資材部の内線番号が１００番台で、資材部が移転した場所（１階）に総務部が移転した場合に、総務部に以前資材部に割当てられていた１００番台を再度割当て、各フロアに対応した内線番号にすることができる。
【００６５】
【発明の効果】
以上説明したように、この発明に係るこの発明に係る構内交換システムの構内交換機は、内線番号の設定、変更や変更前内線番号のダイヤル接続可否の内線番号情報を記憶する記憶装置、記憶装置が記憶する内線番号情報に基づいて呼接続を制御する制御装置を備えたので、展示会場やホテル（例えば、国際会議場）などの内線携帯電話機の貸出しサービスにおいて、ユーザが内線携帯電話機を操作して自由に内線番号を変更して設定するとともに、変更前内線番号での着信の可否を設定し、例えば、変更内線番号と変更前内線番号を知らせる関係者を限定することにより、特定の関係者との間だけの通話および関係者全員との間の通話の双方を満足させることができ、サービスの向上を図ることができる。
【００６６】
また、この発明に係る記憶装置は、登録・変更内線番号、変更前内線番号、変更前内線番号使用規制時間、内線番号変更後経過時間および変更前内線番号ダイヤル接続可否フラグの内線番号情報の記憶エリアを備えたので、内線携帯電話機を操作して記憶エリアの内線番号情報を設定することで、内線番号のサービスに対応することができ、簡単な構成でサービスの充実を実現することができる。
【００６７】
さらに、この発明に係る制御装置は、変更前内線番号ダイヤル接続可否フラグを設定するフラグ設定手段を備えたので、内線携帯電話機を操作してフラグ（例えば、「０」：規制、「１」：接続）を入力することにより、変更前内線番号で着信（呼接続）の可否を実行することができ、単純な構成で利便性の向上を図ることができる。
【００６８】
また、この発明に係る制御装置は、内線番号が変更された時から経過時間をカウントする計時手段と、計時時間が予め設定した時間（変更前内線番号規制時間ＴＫ）を経過した時に、変更前内線番号を消去する消去手段とを備えたので、内線携帯電話機を操作して変更前内線番号使用規制時間を入力することにより、変更前内線番号で着信可能な時間を選択することができ、内線番号を不必要に増加することなく、内線番号を有効に利用することができる。
【００６９】
さらに、この発明に係る制御装置は、変更前内線番号で呼び出し中に、変更内線番号を発呼側の内線携帯電話機に通知する通知手段を備えたので、変更内線番号を知らない相手に、変更前内線番号で着信した時に変更内線番号を通知することができ、特に連絡することなく、多くの内線携帯電話機のユーザに変更内線番号を容易に浸透させることができる。
【００７０】
また、この発明に係る制御装置は、内線番号登録要求に対応して記憶装置の記憶エリアの登録・変更内線番号のパラメータ、および内線番号変更要求に対応して記憶装置の記憶エリアの変更前内線番号ダイヤル接続可否フラグ、登録・変更内線番号および変更前内線番号使用規制時間のパラメータを出力するパラメータ出力手段を備えたので、保守端末装置から全内線携帯電話機の内線番号の初期設定ならびに内線携帯電話機から変更番号の設定を表示画面を見ながら実行することができ、操作性の向上を図ることができる。
【００７１】
さらに、この発明に係る内線携帯電話機は、内線番号変更要求を出力するとともに、受信した変更前内線番号ダイヤル接続可否フラグ、登録・変更内線番号および変更前内線番号使用規制時間のパラメータを設定するので、単純なキー操作で内線番号サービスを受けることができ、利便性の高いサービスをユーザに提供することができる。
【図面の簡単な説明】
【図１】この発明に係る構内交換システムの一実施の形態構成図である。
【図２】この発明に係る記憶エリアに格納される内線番号情報の一実施の形態イメージ図である。
【図３】この発明に係る制御装置の一実施の形態要部ブロック構成図である。
【符号の説明】
１　　構内交換システム
２　　構内交換機
３　　基地局
４　　保守端末装置
５　　クロスポイントスイッチ
６　　記憶装置
６ａ　記憶エリア
７　　制御装置
８　　基地局インタフェース
９　　入出力インタフェース
１０　呼接続制御手段
１１　パラメータ出力手段
１２　フラグ設定手段
１３　計時手段
１４　消去手段
１５　通知手段
ＢＵＳ　内部バス
ＴＥＬ１〜ＴＥＬｎ　内線携帯電話機
ＪＮ　　内線番号情報
ＮＨ　　登録・変更内線番号
ＮＳ　　変更前内線番号
ＴＫ　　変更前内線番号規制時間
ＴＰ　　内線番号変更後経過時間
ＦＧ　　変更前内線番号ダイヤル接続可否フラグ
ＮＴＫ　登録内線数
【図１】
2004112412.tif 000003
【図２】
2004112412.tif 000004
【図３】
2004112412.tif 000005